(57)【特許請求の範囲】
【請求項１】
第１建物部と、
前記第１建物部との間に屋外空間部をおいて対向して配置された第２建物部と、
前記第１建物部を支持する第１建物基礎及び前記第２建物部を支持する第２建物基礎を貫通し、屈曲せずに直線又は曲線を成し内部に配管が挿入可能とされ、前記屋外空間部の屋外地中に埋設されると共に前記第１建物基礎の内側の第１床下空間部及び前記第２建物基礎の内側の第２床下空間部において少なくとも開口端の上部が露出した状態で配置される床下配管部材と、
を有する建物の配管構造。
【請求項２】
第１建物部と、
前記第１建物部との間に屋外空間部をおいて対向して配置された第２建物部と、
前記屋外空間部の屋外地中で前記第１建物部を支持する第１建物基礎及び前記第２建物部を支持する第２建物基礎を貫通し、直線状又は曲線状を成して内部に配管が挿入可能とされ、前記屋外空間部の前記屋外地中に埋設されると共に前記第１建物基礎の内側の第１床下空間部及び前記第２建物基礎の内側の第２床下空間部において少なくとも開口端の上部が露出した状態で配置される床下配管部材と、
を有する建物の配管構造。
【請求項３】
前記床下配管部材は直線状に配置されている請求項１又は請求項２に記載の建物の配管構造。
【請求項４】
前記第１床下空間部の第１地面及び前記第２床下空間部の第２地面において、前記床下配管部材の開口端の周りには、前記開口端の下部側を露出させる露出部が設けられている請求項１〜請求項３の何れか１項に記載の配管構造。
【請求項５】
少なくとも前記第１建物部における前記第１床下空間部の床上は非居室空間部である請求項１〜請求項４の何れか１項に記載の建物の配管構造。
【請求項６】
前記非居室空間部は水廻り部である請求項５に記載の建物の配管構造。
【発明の詳細な説明】
【技術分野】
【０００１】
本発明は、建物の配管構造及び建物に関する。
【背景技術】
【０００２】
例えば、特許文献１には、建物基礎の立上がり部に形成された貫通孔を通って建物の屋内から屋外又は屋外から屋内へと複数の配管類を通すための配管構造に関する技術が開示されている。この先行技術では、複数の配管が挿入されるさや管が地中に埋設され、当該複数の配管が外部に露出しないようになっている。さらに、この先行技術では、建物基礎を挟んで地中から床下空間部へさや管を導く際、さや管を斜め上方へ向けて傾斜させ、当該さや管の開口端が床下空間部に設けられた土間コンクリートの上方に配置されるようにしている。
【先行技術文献】
【特許文献】
【０００３】
【特許文献１】特開２０１１−２４７３７４号公報
【発明の概要】
【発明が解決しようとする課題】
【０００４】
しかしながら、この先行技術では、当該土間コンクリートと建物基礎の立上がり部に形成された貫通孔の中心部とでは高さ方向のレベル差が大きいため、その分さや管の傾斜がきつくなり屈曲部が発生してしまう。この場合、リフォーム等によりさや管内に給湯管等の金属製の管材を新たに配管する際に当該さや管内にこれらの管材を挿入させることは困難であり、その分コストと時間が余計に掛かってしまう。
【０００５】
本発明は、上記課題に鑑みてなされたものであって、リフォーム等により新たに管材を配管する際にコストと時間を削減することができる建物の配管構造及び建物を提供することを目的とする。
【課題を解決するための手段】
【０００６】
上記目的を達成するために、第１の態様に係る建物の配管構造は、第１建物部と、前記第１建物部との間に屋外空間部をおいて対向して配置された第２建物部と、前記第１建物部を支持する第１建物基礎及び前記第２建物部を支持する第２建物基礎を貫通し、直線状又は曲線状を成して内部に配管が挿入可能とされ、前記屋外空間部の屋外地中に埋設されると共に前記第１建物基礎の内側の第１床下空間部及び前記第２建物基礎の内側の第２床下空間部において少なくとも開口端の上部が露出した状態で配置される床下配管部材と、を有している。
【０００７】
第１の態様に係る建物の配管構造では、第１建物部と第２建物部が、屋外空間部を間において対向して配置されており、第１建物部を支持する第１建物基礎と第２建物部を支持する第２建物基礎を床下配管部材が貫通している。この床下配管部材は、直線状又は曲線状を成し、内部には配管が挿入可能とされている。また、床下配管部材は、屋外空間部の屋外地中に埋設されると共に第１建物基礎の内側の第１床下空間部及び第２建物基礎の内側の第２床下空間部において少なくとも開口端の上部が露出した状態で配置されている。
【０００８】
このように、床下配管部材の開口端の上部が第１床下空間部及び第２床下空間部において露出しているため、リフォーム等により新たに管材を配管する際に当該開口端において露出する部分から新しい管材を挿入することができる。また、床下配管部材は、直線状又は曲線状の筒体とされているため、当該床下配管部材が屈曲して形成された場合と比較して、新しい管材をそのまま挿入することができるので作業性が良い。
【０００９】
第２の態様に係る建物の配管構造は、第１の態様に係る配管構造において、前記床下配管部材は直線状に配置されている。
【００１０】
第２の態様に係る建物の配管構造では、床下配管部材は直線状に配置されているため、リフォーム等により新たに管材を配管する際、作業性をさらに向上させることができる。
【００１１】
第３の態様に係る建物の配管構造は、第１の態様又は第２の態様に係る配管構造において、前記第１床下空間部の第１地面及び前記第２床下空間部の第２地面において、前記床下配管部材の開口端の周りには、前記開口端の下部側を露出させる露出部が設けられている。
【００１２】
第３の態様に係る建物の配管構造では、第１地面及び第２地面における床下配管部材の開口端の周りに当該開口端の下部側を露出させる露出部が設けられるため、床下配管部材内に配管を挿入させる際の挿入スペースが広がり作業性がさらに良くなる。
【００１３】
第４の態様に係る建物の配管構造は、第１の態様〜第３の態様の何れか１の態様に係る配管構造において、少なくとも前記第１建物部における前記第１床下空間部の床上は非居室空間部である。
【００１４】
第４の態様に係る建物の配管構造では、少なくとも第１建物部における第１床下空間部の床上は非居室空間部とされている。一般に、非居室空間部は、コンクリート床や浴室床等、床仕様の多様性が求められる。このため、床下配管部材を床下空間部の地面上に配置した場合と比較して、本態様では、第１床下空間部の第１地面と非居室空間部の床部の下面との間のスペースを広くすることができる。その結果、非居室空間部において、床仕様の多様性に対応することができる。なお、一般に、非居室空間部として、玄関、土間、廊下、階段、トイレ、浴室、サニタリー室、ランドリー室、納戸等が挙げられる。
【００１５】
第５の態様に係る建物の配管構造は、第４の態様に係る配管構造において、前記非居室空間部は水廻り部である。
【００１６】
第５の態様に係る建物の配管構造では、浴室等の水廻り部等のように、第１床下空間部があまり設けられていない箇所でも、床下配管部材の下部側を第１床下空間部の第１地面に埋設することによって、屋外地中から当該第１地面に亘って床下配管部材を直線状に配置することができる。
【００１７】
第６の態様に係る建物は、第１の態様〜第５の態様の何れか１の態様に係る建物の配管構造を備え、前記第１建物基礎によって支持された第１建物部と前記第２建物基礎によって支持された第２建物部の間に設けられた屋外空間部がインナーガレージとされている。
【００１８】
第６の態様に係る建物では、インナーガレージを備えている。そして、当該建物において、第１の態様〜第５の態様の何れか１の態様に係る建物の配管構造を適用させることによって、床下配管部材が、第１床下空間部の第１地面上及び第２床下空間部の第２地面上に配置された場合と比較してインナーガレージにおける外部床天端のレベル（高さ方向の位置）を下げることができる。その結果、インナーガレージにおける外部床天端のレベルの設定に対して自由度が上がる。
【発明の効果】
【００１９】
以上説明したように、本発明に係る建物の配管構造及び建物は、リフォーム等により新たに管材を配管する際にコストと時間を削減することができる、という優れた効果を有する。
【図面の簡単な説明】
【００２０】
【図１】本実施の形態に係る建物の一階部分の間取り図である。
【図２】本実施の形態に係る建物の配管構造を示す、図１の２−２線に沿って切断した状態を示す断面図である。
【図３】本実施の形態に係る建物の配管構造の変形例を示す図２に対応する断面図である。
【図４】本実施の形態に係る建物の配管構造の変形例を示す平面図である。
【発明を実施するための形態】
【００２１】
以下、図面を用いて、本発明の実施の形態に係る建物の配管構造について説明する。
【００２２】
（建物の配管構造の構成）
図１には、本実施の形態に係る建物の配管構造１０が適用された建物としての住宅１２の間取り図が示されている。
【００２３】
例えば、図１に示される住宅１２は二階建てとなっており、住宅１２の一階部分には、この住宅１２の桁方向（矢印Ａ方向）の中央部を当該住宅１２の妻方向（矢印Ｂ方向）に沿って貫通する貫通部（屋外空間部）１４が設けられている。住宅１２は、この貫通部１４を間において、第１建物部としての下階構成部１６と第２建物部としての下階構成部１８が互いに対向して配置されている。
【００２４】
下階構成部１６は外壁部１７によって外部と区画されており、当該下階構成部１６によって屋内空間部２０が構成されている。また、下階構成部１８は外壁部１９によって外部と区画されており、当該下階構成部１８によって屋内空間部２２が構成されている。そして、これらの屋内空間部２０、２２は、図示しない上階構成部とされる二階部分を介して互いに繋がっている。
【００２５】
また、貫通部１４の奥側には、所謂インナーガレージ（屋外空間部）２４が設けられており、当該インナーガレージ２４には車両２６が駐車可能とされている。また、貫通部１４の手前側には、エントランスホール（屋外空間部）２８が設けられている。このエントランスホール２８の下階構成部１６側には、当該エントランスホール２８に面して玄関扉３０が設けられている。この玄関扉３０を隔てて屋内空間部２０内には、玄関（非居室空間部）３２が設けられている。
【００２６】
なお、この住宅１２では、下階構成部１６側の屋内空間部２０内において、貫通部１４に面して玄関３２の手前側には、当該玄関３２と繋がる玄関収納室３４が設けられている。
【００２７】
また、下階構成部１６側の屋内空間部２０内には、貫通部１４に面して玄関３２の奥側に、手前側からホール３８、階段（非居室空間部）４０、収納室４２がそれぞれ順に設けられている。そして、当該屋内空間部２０内には、住宅１２の桁方向（矢印Ａ方向）に沿って、玄関３２及び玄関収納室３４の奥側に居室４４が設けられ、ホール３８の奥側には居室４４に隣接してクローゼット４６が設けられている。
【００２８】
さらに、下階構成部１６側の屋内空間部２０内には、住宅１２の桁方向（矢印Ａ方向）に沿って、階段４０及び収納室４２の奥側に所謂水廻り部４８が設けられている。ここでの水廻り部４８として、住宅１２の桁方向に沿って、階段４０の奥側にトイレ５０が設けられており、収納室４２の奥側には浴室５２が設けられている。そして、トイレ５０及び浴室５２の奥側には、サニタリー室５４が設けられており、トイレ５０とサニタリー室５４の間には廊下５８が設けられている。
【００２９】
一方、下階構成部１８側では、当該エントランスホール２８に面して、下階構成部１６の玄関扉３０と対向して引き戸６０が設けられている。この引き戸６０を隔てて下階構成部１８側の屋内空間部２２内には土間６２が設けられている。また、下階構成部１８側の屋内空間部２２内には、貫通部１４に面して土間６２の奥側に、手前側からトイレ６４、階段６６、収納室６８がそれぞれ順に設けられている。
【００３０】
そして、下階構成部１８側の屋内空間部２２内には、住宅１２の桁方向（矢印Ａ方向）に沿って、土間６２の奥側には居室７０が設けられている。また、当該屋内空間部２２内には、住宅１２の桁方向に沿って、トイレ６４の奥側に居室７０と繋がる廊下７２が設けられており、この廊下７２の奥側には収納室７４が設けられている。
【００３１】
さらに、下階構成部１８側の屋内空間部２２内には、住宅１２の桁方向に沿って、階段６６の奥側に、廊下７２と繋がって所謂水廻り部７６が設けられている。
【００３２】
ここで、図２には、図１の２−２線に沿って切断した状態を示す断面図が示されている。図２に示されるように、例えば、本実施の形態に係る住宅１２の建物基礎９６は布基礎とされており、下階構成部１６は建物基礎（第１建物基礎）９８によって支持され、下階構成部１８は建物基礎（第２建物基礎）１００によって支持されている。
【００３３】
そして、下階構成部１６と下階構成部１８の間は、貫通部１４の奥側に設けられたインナーガレージ２４となっており、当該インナーガレージ２４の屋外地面１０２上には、メッシュ筋で補強された土間コンクリート（外部床）１０４が打設され、土間コンクリート１０４上には床仕上げ部材１０６が布設されている。
【００３４】
また、住宅１２の下階構成部１６側の建物基礎９８の内側には、屋内空間部２０の床部２１の床下となる床下空間部８４が設けられている。この床下空間部８４内の床下地面１０８の上には、防湿用の床下防湿コンクリート１１２が打設されている。また、下階構成部１８側の建物基礎１００の内側には、屋内空間部２２の床部２３の床下となる床下空間部８６が設けられている。この床下空間部８６内の床下地面１１０の上には、当該床下防湿コンクリート１１４が打設されている。
【００３５】
さらに、本実施形態では、インナーガレージ２４の外部床天端２４Ａのレベル（高さ方向の位置）は、床下防湿コンクリート１１２の床下天端（第１地面）１１２Ａ、及び床下防湿コンクリート１１４の床下天端（第２地面）１１４Ａのレベルよりも高い位置に設定されている。
【００３６】
また、本実施形態では、図１及び図２に示されるように、住宅１２の下階構成部１６側の屋内空間部２０内に設けられた階段４０の床部２１下の床下空間部８４と下階構成部１８側の屋内空間部２２内に設けられた階段６６の床部２３下の床下空間部８６の間には、床下配管部材８８が埋設されている。また、図１に示されるように、下階構成部１６側の居室４４と下階構成部１８側の土間６２下及び居室７０の床下の間には、床下配管部材９０が埋設されている。
【００３７】
そして、これらの床下配管部材８８、９０には、硬質塩化ビニル管（ＶＰ管）が用いられ、床下配管部材８８、９０内には、配管９２や配線９４（図２参照）が挿入されている。なお、床下配管部材８８と床下配管部材９０の構成は略同じであるため、これらを代表して床下配管部材８８について以下の説明を行う。
【００３８】
図２に示されるように、当該床下配管部材８８は、略直線状を成して、下階構成部１６側の建物基礎９８の立上がり部９８Ａ及び下階構成部１８側の建物基礎１００の立上がり部１００Ａを貫通し、下階構成部１６側の床下空間部８４内の床下防湿コンクリート１１２、インナーガレージ２４の屋外地中１０１、及び下階構成部１８側の床下空間部８６内の床下防湿コンクリート１１４に埋設されている。
【００３９】
また、当該床下配管部材８８は、床下防湿コンクリート１１２において当該床下配管部材８８の開口端１１６の上部（ここでは床下配管部材８８の上半分）が露出した状態で配置され、床下防湿コンクリート１１４において開口端１１８の上部（ここでは床下配管部材８８の上半分）が露出した状態で配置されている。
【００４０】
一方、床下防湿コンクリート１１２には、床下配管部材８８の開口端１１６周りに傾斜面（露出部）１１２Ｂが設けられており、傾斜面１１２Ｂによって当該開口端１１６の下部側を露出させるようにしている。また、床下防湿コンクリート１１４には、床下配管部材８８の開口端１１８周りに傾斜面（露出部）１１４Ｂが設けられており、傾斜面１１４Ｂによって当該開口端１１８の下部側を露出させるようにしている。
【００４１】
なお、本実施形態では、床下防湿コンクリート１１２、１１４に形成される露出部として傾斜面１１２Ｂ、１１４Ｂをそれぞれ例に挙げたが、床下配管部材８８の開口端１１６、１１８の下部側を露出させることができればよいため、当該露出部は、必ずしも傾斜面１１２Ｂ、１１４Ｂである必要はなく、湾曲面であってもよい。
【００４２】
（建物及び配管構造の作用・効果）
前述したように、本実施形態では、図２に示されるように、床下配管部材８８は、下階構成部１６側の建物基礎９８及び下階構成部１８側の建物基礎１００を貫通し、直線状を成して、下階構成部１６側の床下空間部８４内の床下防湿コンクリート１１２、インナーガレージ２４の屋外地中１０１、及び下階構成部１８側の床下空間部８６内の床下防湿コンクリート１１４に埋設されている。さらに、当該床下配管部材８８は、床下防湿コンクリート１１２において開口端１１６の上部が露出し、床下防湿コンクリート１１４において開口端１１８の上部が露出している。
【００４３】
以上のような構成により、本実施形態における床下配管部材８８では、リフォーム等により新たに管材を配管する際に、当該床下配管部材８８の開口端１１６、１１８から当該管材をそのまま挿入することができるので作業性が良い。
【００４４】
また、本実施形態では、床下配管部材８８は、インナーガレージ２４の屋外地中１０１に埋設されているため、当該床下配管部材８８がインナーガレージ２４において外部に露出することはなく、住宅１２における意匠性を向上させることができる。
【００４５】
また、インナーガレージ２４において、床下配管部材８８を屋外地中１０１に埋設させることにより、図示はしないが、床下配管部材が屋外地面上に配置された場合と比較して、屋外地面１０２において、メッシュ筋で補強された土間コンクリート１０４を直接打設することができるため、インナーガレージ２４における外部床の剛性を向上させることができる。換言すると、本実施形態では、住宅１２の貫通部１４の外部床の剛性を向上させることによって、当該貫通部１４をインナーガレージ２４として適用させることができる。
【００４６】
また、屋外空間において、床下配管部材８８を屋外地中１０１に埋設させることによって、床下配管部材が屋外地面上に配置された場合と比較して、土間コンクリート１０４（外部床天端２４Ａ）のレベルを低くすることができる。
【００４７】
つまり、住宅１２の屋内空間部２０、２２の床部２１、２３の（高さ方向の）レベルとインナーガレージ２４の外部床天端２４Ａのレベルとで段差を大きくすることができる。そして、インナーガレージ２４において、外部床天端２４Ａのレベルを低くすることにより、床下配管部材８８の上載荷重の負荷が軽減され、当該床下配管部材８８が硬質塩化ビニル管であっても変形等の問題が生じないようにすることができる。
【００４８】
一方、近年では、バリアフリーの観点から住宅１２の屋内空間部２０、２２の床部２１、２３のレベルとインナーガレージ２４の外部床天端２４Ａのレベルとで段差を小さくすることが望まれる。このため、インナーガレージ２４の外部床天端２４Ａのレベルを上側に設定する場合もある。
【００４９】
すなわち、本実施形態によれば、インナーガレージ２４において、床下配管部材が屋外地面上に配置された場合と比較して、当該外部床天端２４Ａのレベルの設定に関して自由度が上がることになる。したがって、ユーザーの要望に合わせた設計プランの自由度が上がる。
【００５０】
また、本実施形態では、当該床下配管部材８８において、開口端１１６周りの床下防湿コンクリート１１２には、開口端１１６の下部側を露出させる傾斜面１１２Ｂが設けられ、開口端１１８周りの床下防湿コンクリート１１４には、開口端１１８の下部側を露出させる傾斜面１１４Ｂが設けられている。
【００５１】
当該床下配管部材８８内には配管９２や配線９４が挿入されるため、床下配管部材８８の開口端１１６、１１８周りに当該傾斜面１１２Ｂ、１１４Ｂが設けられることによって、床下配管部材８８内に配管９２や配線９４を挿入させる際の挿入スペースが広がり、作業性がさらに良くなる。
【００５２】
ここで、床下配管部材８８内に配線９４を通すとなると、配線９４は自重により床下配管部材８８の下部側に配置されることになる。このため、床下配管部材８８の上部側に配管９２が配置されるようにすることによって、当該床下配管部材８８内において、配管９２の配置領域と配線９４の配置領域が自然に大別されるので、床下配管部材８８内に新しい配管を挿入する際、配線９４が邪魔にならないようにすることができる。なお、図示はしないが、配線に可撓管を用いた場合も上記と同様の効果を得ることができる。
【００５３】
ところで、図１及び図２に示されるように、床下配管部材８８は、住宅１２の下階構成部１６側の屋内空間部２０内に設けられた階段４０の床部２１下の床下空間部８４と下階構成部１８側の屋内空間部２２内に設けられた階段６６の床部２３下の床下空間部８６の間に床下配管部材８８が埋設されている。一方、図１に示されるように、床下配管部材９０は、下階構成部１６側の屋内空間部２０内の居室４４と下階構成部１８側の屋内空間部２２内の土間６２、居室７０の間に埋設されている。
【００５４】
一般に、玄関３２や土間６２の（高さ方向の）レベルは、屋内空間部２０、２２の他の床部２１、２３のレベルよりも低い位置に設定され、床下空間部は設けられていない。しかし、本実施形態によれば、床下空間部が設けられていない領域では床下配管部材を地中に埋設し、床下空間部が設けられた領域では、当該床下配管部材の開口端の一部を露出させるようにすることで、当該床下配管部材を直線状に配置することができる。つまり、床下天端の高さ方向のレベルが異なる領域で床下配管部材を埋設する場合でも、当該床下配管部材を略直線状とすることができる。
【００５５】
また、一般に、玄関や浴室等の非居室空間部は、コンクリート床や浴室床等、床仕様の多様性が求められる。このため、床下配管部材を床下空間部の地面上に配置した場合と比較して、本実施形態では、図２に示す、床下空間部８４、８６のスペースを広くすることができ、その結果、非居室空間部において、床仕様の多様性に対応することができる。
【００５６】
また、本実施形態では、図２に示されるように、床下配管部材８８において、例えば、開口端１１６の上部が床下地面１０８上の床下防湿コンクリート１１２から露出しているが、当該開口端１１６の下部側まで床下防湿コンクリート１１２から露出した状態であってもよい。
【００５７】
但し、この場合、図示はしないが、床下配管部材８８の開口端１１６の上部側のみが床下防湿コンクリート１１２から露出した場合と比較して、床下天端１１２Ａのレベルを低くする必要がある。この場合、その分、建物基礎の掘削深さを深くする必要があり、結果的に、工期が長くなると共にコストがアップしてしまう。
【００５８】
換言すると、本実施形態では、図２に示されるように、床下配管部材８８の下部側は、床下地面１０８の床下防湿コンクリート１１２に埋設されているため、当該床下配管部材８８を下部側まで露出させた場合と比較して、床下地面１０８の床下天端１１２Ａのレベルを上側に設定することができる。したがって、建物の掘削深さを浅くすることができ、その分、工期が短くなると共にコストダウンを図ることができる。
【００５９】
また、本実施形態では、図１及び図２に示されるように、床下配管部材８８は、住宅１２の下階構成部１６側の階段４０の床部２１下の床下空間部８４と下階構成部１８側の階段６６の床部２３下の床下空間部８６の間に埋設され、床下配管部材９０は、下階構成部１６側の居室４４と下階構成部１８側の土間６２下及び居室７０の床下に埋設されている。
【００６０】
しかし、本実施形態は、建物（住宅）の床下地面に対して床下配管部材を略直線状に埋設することができれば良いため、これに限るものではない。例えば、図示はしないが、屋外空間に給湯器が配置された場合等において、屋外地中に床下配管部材を埋設し、下階構成部の床下空間部において床下配管部材の開口端の一部を露出させるようにする。
【００６１】
また、本実施形態では、図２に示されるように、床下配管部材８８は、床下防湿コンクリート１１２、屋外地中１０１及び床下防湿コンクリート１１４に対して略直線状に埋設されているが、床下配管部材８８内に配管９２が挿入可能であればよいため必ずしも直線状に限るものではない。
【００６２】
例えば、図３に示されるように、正面視で当該床下配管部材８８が曲線状に形成されてもよい。この場合、床下配管部材８８は、図１に示されるように、直線状に形成された場合と比較して、インナーガレージ２４の屋外地中１０１側ではより深い位置に埋設されることになる。これにより、外部床天端２４Ａのレベルをさらに低くすることができるため、結果的に、当該外部床天端２４Ａのレベル設定に関してさらに自由度が上がることになる。なお、この場合、配管９２は床下配管部材８８の曲率と略同一となるように形成される。
【００６３】
また、図３に示されるように、床下配管部材８８が曲線状に形成された場合、図２に示す建物基礎９８のフーチング９８Ｂ及び建物基礎１００のフーチング１００Ｂが床下配管部材８８と干渉する場合が想定される。このため、当該建物基礎９８、１００において、図３に示されるように、インナーガレージ２４側が形成されない偏心基礎１２６、１２８とすることで、床下配管部材８８とフーチングとの干渉を回避することができる。
【００６４】
また、図３では、床下配管部材８８が正面視で曲線状に形成された例について説明したが、さらに、図４に示されるように、床下配管部材８８が平面視でも曲線状となるように形成されてもよい。
【００６５】
以上、本発明を実施するための一形態として一実施例を用いて説明したが、本発明はこうした一実施例に何ら限定されるものではなく、本発明の要旨を逸脱しない範囲内において、上述した一実施例に種々の変形及び置換を加えることができる。
【符号の説明】
【００６６】
１０    配管構造
１２    住宅
１４    貫通部（屋外空間部）
１６    下階構成部（第１建物部）
１８    下階構成部（第２建物部）
２４    インナーガレージ（屋外空間部）
２８    エントランスホール（屋外空間部）
３２    玄関（非居室空間部）
４０    階段（非居室空間部）
４８    水廻り部
６２    土間（非居室空間部）
６６    階段（非居室空間部）
７６    水廻り部
８４    床下空間部（第１床下空間部）
８６    床下空間部（第２床下空間部）
８８    床下配管部材
９０    床下配管部材
９２    配管
９８    建物基礎（第１建物基礎）
１００  建物基礎（第２建物基礎）
１０１  屋外地中
１１２  床下防湿コンクリート（第１地面）
１１２Ｂ       傾斜面（露出部）
１１４  床下防湿コンクリート（第２地面）
１１４Ｂ       傾斜面（露出部）
１１６  開口端
１１８  開口端
１２６  偏心基礎（第１建物基礎）
１２８  偏心基礎（第２建物基礎）
【図１】
0006649179.tif 000002
【図２】
0006649179.tif 000003
【図３】
0006649179.tif 000004
【図４】
0006649179.tif 000005